(57)【要約】【課題】  テレビジョン放送を視聴しないときは画面表示部の保護機能と、視聴するときは見やすい角度に設置できるスタンド機能とを有するアンテナを持つテレビジョン受信機を提供する。【解決手段】  テレビジョン受信機１をテレビジョンとして使用していない移動時及び収納時には、アンテナ２及び、アンテナ３を液晶画面６の表面を保護するように本体に対して２組の支持部４ａ，４ｂと４ｃ，４ｄとを軸に回転し固定する。移動時に不注意に落下したり、他の物にぶつけたりしても、２本のアンテナ２、アンテナ３及び各アンテナの中央部に重合一体化した緩衝材５によって液晶画面５の表面に傷をつけることを防ぐことができるようにする。【選択図】      図１
2005217895.tif 000002
【特許請求の範囲】
【請求項１】
画像を表示する画面表示部と、一対の受信アンテナと、筐体とを有するテレビジョン受信機であって、
前記画面表示部は、前記筐体の前面側に配置固定されており、
前記一対の受信アンテナは、前記筐体の前面側に配置固定されている前記画面表示部を介する位置にあり、前記筐体の上下面にそれぞれ取り付けられ、且つ前記筐体の前記上下面側から前記前面側に向って折り畳み展開可能なように、且つ折り畳んだ際には前記画面表示部に当接しないように取り付けられており、
前記一対の受信アンテナを構成する各受信アンテナはそれぞれ、前記筐体の前記上下面に、全方位方向に回動可能でかつ所望の角度位置で固定可能とするように取り付けられていることを特徴とするテレビジョン受信機。
【発明の詳細な説明】
【技術分野】
【０００１】
本発明は、テレビジョン受信機に関するものである。
【背景技術】
【０００２】
従来、携帯用小型テレビジョン受信機は、携帯時において、不慮の落下や不注意にぶつけたりすることによって表示画面に傷がつき視聴時の障害となったり、テレビジョン受信機の破損が起こるという問題があった。そのため、不使用時、例えば携帯時に画面表示部表面を保護するためには布や皮、もしくはビニール製のキャリングケースやバッグ等が用いられている。
【０００３】
また、テレビジョン受信機に限らず、携帯型通信機を保護するためのケースが提案されている（例えば、特許文献１参照。）。この特許文献１の提案によれば、透明度を自在に調整することのできるシリコンゴム材で保護ケースを形成することにより、携帯型通信機の使用時、不使用時を問わず保護ケースを装着し、表示部は保護ケースを通して見ることができるものである。
【０００４】
【特許文献１】特開平１１−４２１１０号公報
【０００５】
ところで、テレビジョン受信機不使用時に画面表示部表面を保護するためのケースを用いた場合、テレビジョン放送を見る際にこの保護ケースを取り外す必要があり利便性を損なうという問題があった。
また、上述の特許文献１にあるように保護ケースを工夫した場合においても、操作部は保護ケースを介して操作を行うものであり、操作の確実性が損なわれるという問題があった。
更には、通常テレビジョン受信機にはアンテナが必要であり、携帯型とした場合バッテリ等の取り外し部分も存在するので、上述の保護ケースを用いるにはケースの構造が複雑になるという問題が残存する。
【０００６】
一方別の問題として、テレビジョン放送を視聴する際テレビジョン受信機の画面表示部を見やすい最適な角度に設置する必要がある。しかしながら、従来のいずれの方法においてもテレビジョン放送視聴時には、専用のスタンドが必要であるため携帯性をうたう小型軽薄化の商品性を損ねたり、あるいは、スタンドがない状態でテレビジョン放送を見る場合、テレビジョン受信機自体を何かに立てかける等の工夫をする必要があるという問題があった。
【発明の開示】
【発明が解決しようとする課題】
【０００７】
本発明は、以上の点に鑑みなされたもので、表示面の保護目的の特別なケースやバッグが不要であり、テレビジョン放送視聴時には表示面を見やすい角度に設置することのできるテレビジョン受信機を提供することを目的とする。
【課題を解決するための手段】
【０００８】
本発明は、上記課題を解決するために、以下に記載の手段よりなる。
すなわち、
画像を表示する画面表示部と、一対の受信アンテナと、筐体とを有するテレビジョン受信機であって、
前記画面表示部は、前記筐体の前面側に配置固定されており、
前記一対の受信アンテナは、前記筐体の前面側に配置固定されている前記画面表示部を介する位置にあり、前記筐体の上下面にそれぞれ取り付けられ、且つ前記筐体の前記上下面側から前記前面側に向って折り畳み展開可能なように、且つ折り畳んだ際には前記画面表示部に当接しないように取り付けられており、
前記一対の受信アンテナを構成する各受信アンテナはそれぞれ、前記筐体の前記上下面に、全方位方向に回動可能でかつ所望の角度位置で固定可能とするように取り付けられていることを特徴とするテレビジョン受信機。
【発明の効果】
【０００９】
本発明の「テレビジョン受信機」によれば、緩衝材が装備された１対のアンテナとアンテナが画面表示部に直接当接しないためのストッパとを有し、取り付け構造をアンテナとテレビジョン受信機とが取り付け部を軸に回転可能な構造にしたことにより、テレビジョン受信機不使用時にはアンテナを画面表示部の画像表示面側に折り畳んだ状態として、収納、あるいは携帯可能でありテレビジョン受信機本体だけで画面表示部を保護するテレビジョン受信機を提供することができる。
また、テレビジョン受信機使用時には、アンテナ部を回転調整することで、放送に最良な受信位置と任意の視聴姿勢に設置可能なテレビジョン受信機を提供することができる。
さらには、上述のように任意の視聴姿勢に設置させるだけではなく、アンテナ部をガイド機構として、バンドやひもなどの手段を利用し視聴する場所に固定することが可能な構造としたテレビジョン受信機を提供することができる。
【発明を実施するための最良の形態】
【００１０】
以下、本発明に係るテレビジョン受信機の発明を実施するための最良の形態につき、好ましい実施例により説明する。
図１は本実施例に適用されるテレビジョン受信機の構成を示した概略外観斜視図である。
同図に示すようにテレビジョン受信機１は、コの字型の上側アンテナ２、下側アンテナ３の１対のアンテナ、アンテナ２及びアンテナ３を自在に回転可能で折り畳み可能な構造とする支持部４ａ，４ｂ，４ｃ，４ｄ、各アンテナの中央部に重合一体化された緩衝材５、液晶画面６、チャンネルセレクタ７ａ、７ｂ、ボリューム８ａ、８ｂ、スピーカ部９から構成されている。
【００１１】
アンテナ２及び、アンテナ３の中央部には、ゴム、エラストマー、スポンジ等の比較的柔らかい緩衝材５を重合一体化して形成している。アンテナ２とアンテナ３は、テレビジョン受信機１本体に対して２組の支持部４ａ，４ｂと４ｃ，４ｄとで支持されるとともに自在に回転可能な構造であり、液晶画面６方向には緩衝材５と液晶画面６とが接触する位置まで折り畳み可能な構造としている。
【００１２】
このアンテナ２、及びアンテナ３自体は、地上波アナログ放送や、今後普及すると見込まれる地上波デジタル放送が受信可能なものである。また、前記以外の移動体向け衛星放送等の受信が可能な構成としてもよい。
【００１３】
図１は、テレビジョン受信機１をテレビジョンとして使用していない移動時や収納時の状態を示したものであり、アンテナ２及び、アンテナ３を液晶画面６の表面を保護するように本体に対して２組の支持部４ａ，４ｂと４ｃ，４ｄとを軸にアンテナストッパ１０に当接する位置まで回転し固定する。移動時に不注意に落下したり、他の物にぶつけたりしても、２本のアンテナ２、アンテナ３及び各アンテナの中央部に重合一体化した緩衝材５によって液晶画面６の表面に傷をつけることを防ぐことができる。全体として同図に示すように、小型でコンパクトなものとしている。
なお、アンテナストッパはテレビジョン受信機本体側に配置した例を示したが、アンテナ側に設けてもよいし、支持部の回転範囲を制限する機構的な構成としてもよい。
【００１４】
図２、図３は、テレビジョン受信機１をテレビジョンとして使用する状態を示した概略外観斜視図である。上側アンテナ２をテレビジョン放送の受信状態が良好になる最適な位置、例えば垂直方向に回転固定する。また、下側アンテナ３は、視聴時に都合の良い最適角度に回転固定させることでスタンドの役割を果たし、設置の自由度が高くなる。チャンネルセレクタ７ａ、７ｂ、ボリューム８ａ、８ｂは保護ケースを介しての操作ではなく直接操作されるようにしている。スピーカ部９も直接開口されている。野外では図示しない内臓バッテリーや自動車用電源、あるいは可搬型電源装置を利用してテレビジョン放送を視聴する。もちろん、受信状態によっては、下側アンテナ３をテレビジョン放送の受信用に用いてもよい。
【００１５】
本実施例では、画面表示部に液晶表示装置を用いたテレビジョン受信機を示したが、有機ＥＬ等、別の薄型表示装置を用い携帯性を持たせたテレビジョン受信機で構成してもよい。
更に、アンテナであるが、受信感度を高めるために別なロッドアンテナを有する構成とし、別途、画面表示部の保護及びスタンドの機能を有する部材を配置する構成としてもよい。
【００１６】
本実施例では、上下１対のアンテナを設ける構成としたが、左右に１対のアンテナを設ける構成としてもよい。形状もコの字型したが、Ｕの字型、ハート型等アンテナ及びスタンドの機能を達成する形状であれば他の形状で構成してもよい。
【００１７】
また、本実施例に適用されるアンテナは、テレビジョン受信機本体と上下左右４箇所の結合部分を持つことになるが、その部分から回路上、各々別系統のアンテナを構成するようにすればダイバーシティ機能を有することも可能になり、さらに受信感度を向上することができる。
【図面の簡単な説明】
【００１８】
【図１】本実施例に適用されるテレビジョン受信機の未使用時の状態を示す外観斜視図である。
【図２】本実施例に適用されるテレビジョン受信機の使用時の状態を示す外観斜視図である。
【図３】図２の状態を裏側から示した外観斜視図である。
【符号の説明】
【００１９】
１…テレビジョン受信機
２…上側アンテナ
３…下側アンテナ
４ａ，４ｂ，４ｃ，４ｄ…アンテナ支持部
５…緩衝材
６…液晶画面
７ａ，７ｂ…チャンネルセレクタ
８ａ，８ｂ…ボリューム
９…スピーカ部
１０…アンテナストッパ
【図１】
2005217895.tif 000003
【図２】
2005217895.tif 000004
【図３】
2005217895.tif 000005